(57)【特許請求の範囲】
【請求項１】
簡易屋根の上枠に設けられる凹部に嵌め込まれて装着され、内部にパネルの上縁が嵌め込まれる内空部を有する合成樹脂製のグレチャンを備え、
該グレチャンが、
前記凹部内への挿入を容易化するテーパー部と、
前記凹部の入口の対をなす係止片にそれぞれ係止される一対の鍔と、
該各鍔と前記テーパー部との間にそれぞれ形成される平面部と、
該各平面部における途中の部分にそれぞれ平面部の幅よりはるかに小幅に形成された突起とからなり、
該各突起は、少なくともテーパー部側の面をＲ面または傾斜面に形成し、
該各突起と鍔との間の平面部を前記係止片による挟持部とした
ことを特徴とする簡易屋根。
【発明の詳細な説明】
【０００１】
【発明の属する技術分野】
本発明は、テラス、バルコニー、カーポート、サンルーム等に適用される簡易屋根に係り、特にグレチャンの構造に関する。
【０００２】
【従来の技術】
図３（Ａ）はカーポートの正面図、図３（Ｂ）はその側面図であり、カーポートは、基礎１に下端が固定される複数本の支柱２に、雨樋を形成した下枠３を固定し、該下枠３と上枠４との間を複数本の縦枠５および縦枠５間の補強枠１７により結合して枠組みし、上面よりパネル６を載せて固定する。支柱２と上枠４との間は支持部材７により連結して上枠４側を支持する。これらの支柱２、下枠３、上枠４、縦枠５はアルミニウム合金製形材からなる。一般的には、支持部材７もアルミニウム合金製形材により構成する。８は雨樋の竪樋である。
【０００３】
図４に示すように、上枠４の下枠３に対向する側の面の下部には下枠側に突出した突片４ａを形成し、該突片４ａ上に縦枠５を載せてねじ等の固定具９により結合する。
【０００４】
上枠４の上面には、支持部材７の取付け金具１１を取付けるため、ねじ孔付き裏板１０の裏板収容部４ｂを形成し、取付け金具１１の水平部に設けた孔と、該裏板収容部４ｂの上部に設けた溝４ｃにボルト１２を挿通して裏板収容部４ｂ内の裏板１０のねじ孔にねじ込むことにより取付け金具１１を上枠４に固定し、該取付け金具１１に支持部材７の先端をボルト１３によって結合する。
【０００５】
上枠４の下枠３側の面の上部には凹部４ｄを形成し、該凹部４ｄに硬質塩化ビニル樹脂等からなるグレチャン１４を嵌め込んで固定し、パネル６の上縁をグレチャン１４に嵌め、パネル６の左右の縁を縦枠カバー１５により覆い、ノッチねじ等のように、自己穿孔力のある固定具１６により縦枠カバー１５を縦枠５に固定する。図５（Ａ）はパネル６をグレチャン１４に嵌め込む状態を示す。
【０００６】
従来のグレチャン１４は、図５（Ｂ）に示すように、前記パネル６を挿入する内空部１４ａを有する塩化ビニル樹脂等の比較的硬質の合成樹脂製のものであり、凹部４ｄ内への挿入を容易化するテーパー部１４ｂと、該凹部１４ｂの入口の対をなす係止片４ｅにそれぞれ係止される一対の鍔１４ｃと、該各鍔１４ｃに連続してそれぞれ形成され、２点鎖線で示すように、前記係止片４ｅの先端に当接させる平面状の挟持部１４ｄと、前記テーパー部１４ｂと挟持部１４ｄとの間に形成され、挟持部１４ｄと同様の幅Ｗを有する抜け止め用の平面状の隆起部１４ｅとを有し、内面には、上下一対の軟質ポリエチレン樹脂等でなるシール用のフィン１４ｆが２色成形により一体に形成されている。
【０００７】
【発明が解決しようとする課題】
このようなグレチャン１４は、スナップインにより凹部４ｄ内に押し込まれる構造を有しているが、グレチャン１４の挿入抵抗が大きいため、凹部４ｄ内への容易に押し込めず、装着が困難であるという問題点があった。
【０００８】
本発明は、上記した問題点に鑑み、上枠への装着が容易となるグレチャンを有する簡易屋根を提供することを目的とする。
【０００９】
【課題を解決するための手段】
上記目的を達成するために、本発明は、簡易屋根の上枠に設けられる凹部に嵌め込まれて装着され、内部にパネルの上縁が嵌め込まれる内空部を有する合成樹脂製のグレチャンを備え、該グレチャンが、
前記凹部内への挿入を容易化するテーパー部と、
前記凹部の入口の対をなす係止片にそれぞれ係止される一対の鍔と、
該各鍔と前記テーパー部との間にそれぞれ形成された平面部と、
該各平面部における途中の部分にそれぞれ平面部の幅よりはるかに小幅に形成された突起とからなり、
該各突起は、少なくともテーパー部側の面をＲ面または傾斜面とし、
該各突起と鍔との間の平面部を係止片による挟持部とした
ことを特徴とする。
【００１０】
【作用】
本発明においては、平面部の途中の部分に小突起を形成したので、グレチャンの弾性を利用してグレチャンをテーパー部から上枠の凹部内に押し込む際、従来のように、テーパー部に連続する平坦な隆起部がある場合に比較し、グレチャンの縮み量が小さくなり、グレチャンを凹部内に容易に装着することが可能となる。また、凹部からの抜け止め機能を低下させることもない。
【００１１】
【実施例】
以下、本発明の実施例を図面を参照して詳述する。図１（Ａ）は本発明の簡易屋根に用いるグレチャンの一例を示す端面図、図１（Ｂ）は該グレチャンを用いた上枠部の一部を示す端面図である。図１（Ａ）、（Ｂ）に示すように、グレチャン１４Ａは、上枠４の凹部４ｄ内への挿入を容易化するテーパー部１４ｂと、凹部４ｄの入口の対をなす係止片４ｅにそれぞれ係止される一対の鍔１４ｃと、該各鍔１４ｃと前記テーパー部１４ｂとの間にそれぞれ形成された平面部１４ｄ、１４ｈと、該各平面部１４ｄ、１４ｈにおける途中の部分にそれぞれ平面部１４ｄ、１４ｈのトータルの幅よりはるかに小幅に形成された突起１４ｇとからなる。本例の各突起１４ｇは、断面形状が半円形をなすＲ面に形成されている。
【００１２】
また、各突起１４ｇと鍔１４ｃとの間の平面部１４ｄを係止片４ｅによる挟持部とする。該グレチャン１４Ａは、従来と同様に例えば塩化ビニル樹脂のような比較的硬質の合成樹脂材料により主体を構成し、内空部１４ａを形成する内壁には、互いに対向するように、ひれ状をなす軟質ポリエチレン樹脂等からなる比較的軟質の合成樹脂製材料でなる一体のシール用フィン１４ｆを２色押し出し成形により一体に形成している。
【００１３】
図２（Ａ）は内空部１４ａのサイズを従来と同様とし、かつ平面部１４ｄからの突起１４ｆの高さΔＨを従来のグレチャン１４の隆起部１４ｅの高さと同じに設定した場合における、グレチャンの凹部４ｄへの挿入時の撓み角を示すものであり、従来のグレチャンの場合、実線ａに示す挿入前の状態に対し、グレチャンの挿入途中の状態である係止片４ｅの先端がテーパー部１４ｂと隆起部１４ｅとの間の角部に当接した２点鎖線ｂの状態になると、テーパー部１４ｂにおける最大の撓み（撓み角θ１）が最大となる。一方、本実施例のグレチャン１４Ａの場合には、挿入前のｃの状態から、突起１４ｇに係止片１４ｅの先端が当接したｄの状態になると最大の撓み（撓み角θ２）を生じる。
【００１４】
図２（Ａ）から分かるように、本実施例による場合、従来品に比較して、テーパー部１４ｂの撓み量が少なくすむため、本実施例による場合、小さい力でグレチャン１４Ａを凹部４ｄに押し込むことができる。しかも、本実施例における突起１４ｇと従来の隆起部１４ｅの高さを等しく（＝ΔＨ）することにより、グレチャン１４Ａの凹部４ｄからの抜け止め機能が低下することはない。なお、突起４ｇの形状としては、図１のようにＲ面のみならず、図２（Ｂ）に示すように、少なくともテーパー部１４ｂ側を傾斜面１４ｉに形成してグレチャン１４Ａの凹部４ｄへの挿入を容易化した形状も採用できる。
【００１５】
本発明は、図３（Ａ）、（Ｂ）に示す屋根を２セット用意して上枠４、４どうしを金具により結合し、自動車等の収容スペースを２倍にした構造や、このセットを３セット以上継ぎ足したものにも適用できる。また、本発明は、カーポート以外に、テラス、バルコニー、サンルーム等の屋根としても用いることができる。
【００１６】
その他、本発明を実施する場合、本発明の要旨を変更しない範囲内で、枠組み構造や、グレチャン１４Ａの各部構造や上枠との組み合わせ等について、種々に変更、付加が可能である。
【００１７】
【発明の効果】
本発明によれば、グレチャンの凹部からの抜け止め用突起を、平面部の途中の部分に設けたことにより、グレチャンの上枠の凹部への装着が容易となる。また、グレチャンの凹部からの抜け止め機能を低下させることもない。
【図面の簡単な説明】
【図１】（Ａ）は本発明の簡易屋根に用いるグレチャンの一例を示す端面、（Ｂ）は該グレチャンを上枠の凹部に装着した状態を示す端面図である。
【図２】（Ａ）は従来例と本発明のグレチャンの上枠凹部への押し込み時におけるグレチャンの撓みを比較して示す図、（Ｂ）は本発明のグレチャンの他の例を示す部分端面図である。
【図３】（Ａ）、（Ｂ）はそれぞれ従来の簡易屋根の正面図、側面図である。
【図４】従来の簡易屋根の断面図である。
【図５】（Ａ）は従来の簡易屋根の一部を上方より見た斜視図、（Ｂ）は従来のグレチャンの上枠凹部への装着状態を示す端面図である。
【符号の説明】
２：支柱、３：下枠、４：上枠、４ｄ：凹部、４ｅ：係止片、５：縦枠、７：支持部材、１４、１４Ａ：グレチャン、１４ａ：内空部、１４ｂ：テーパー部、１４ｃ：鍔、１４ｄ：挟持部（平面部）、１４ｆ：シール用フィン、１４ｈ：平面部、１４ｇ：突起、１５：縦枠カバー、１４ｉ：傾斜面
【図１】
0003707757.tif 000002
【図２】
0003707757.tif 000003
【図３】
0003707757.tif 000004
【図４】
0003707757.tif 000005
【図５】
0003707757.tif 000006